(57)【特許請求の範囲】
【請求項１】
ルートディレクトリにアクセスするための情報であるルートディレクトリアクセス情報を基にアクセスされ、前記ルートディレクトリのみを示す第１の種類のルートディレクトリ情報と、
ディレクトリ構造により当該記録媒体に記録された記録情報に対して、ディレクトリ単位でそれぞれ異なるアクセス可能な前記記録情報が設定されている複数の第２の種類のルートディレクトリ情報とが記録された記録領域を有し、
前記第２の種類のルートディレクトリ情報は、
前記ディレクトリ単位でアクセス許可された前記記録情報の範囲を示す情報である開示レベルに応じてアクセスされることを特徴とする記録媒体。
【請求項２】
前記ルートディレクトリ情報として複数のルートディレクトリ情報を有する媒体であることを識別させるための記録媒体識別情報を有することを特徴とする請求項１に記載の記録媒体。
【請求項３】
前記記録媒体識別情報としてルートディレクトリ情報数を有することを特徴とする請求項２に記載の記録媒体。
【請求項４】
前記ルートディレクトリ情報をアクセスするための配置情報として、複数のルートディレクトリ配置情報を有することを特徴とする請求項１ないし３の何れか一項に記載の記録媒体。
【請求項５】
前記ルートディレクトリ配置情報の数が、前記ルートディレクトリ情報の数と同数であることを特徴とする請求項４に記載の記録媒体。
【請求項６】
請求項１ないし５の何れか一項に記載の記録媒体に記録された記録情報へのアクセスを制御するアクセス制御方法であって、
前記記録媒体に対するアクセス動作時に、利用者がディレクトリ単位でアクセス許可された前記記録情報の範囲を示す情報である開示レベルを含む認証情報を基に正当な利用者であるか否かを判断するステップと、
前記認証情報により正当な利用者であるか否かを判断するステップによって正当な利用者であると判断された場合に、前記開示レベルを基に、前記複数のルートディレクトリ配置情報から対応するルートディレクトリ配置情報を特定するステップと、
前記特定するステップによって特定された前記ルートディレクトリ配置情報を基にアクセスされる前記第２の種類のルートディレクトリ情報に設定されたアクセス可能な前記記録情報にアクセスするステップと、
前記認証情報を基に正当な利用者であるか否かを判断するステップによって、正当な利用者ではないと判断された場合に、前記第１の種類のルートディレクトリ情報を基に前記ルートディレクトリをアクセスするステップと、を有することを特徴とするアクセス制御方法。
【発明の詳細な説明】
【０００１】
【発明の属する技術分野】
本発明は、各種光ディスク等の記録媒体及びそのアクセス制御方法に関する。
【０００２】
【従来の技術】
近年、ＰＣ（パーソナルコンピュータ）で利用される記録媒体として大容量で可搬性のある光ディスク記録媒体が普及している。代表的な記録可能な記録媒体としては、追記型記録媒体ＣＤ−Ｒや書換え可能型の記録媒体ＣＤ−ＲＷがある。また、再生専用型（書込み不能型）の記録媒体としてＣＤ−ＲＯＭが広く普及している。
【０００３】
ＣＤ−ＲやＣＤ−ＲＷに記録されている記録情報は、記録媒体所有者自身が自ら若しくは特定の限られた利用者が利用することを目的に作成した情報であったり、企業の機密情報等非常に重要な情報が記録される場合もあり、遺失や第三者からの不正な利用の発生に対しての被害は計り知れない。
【０００４】
一方、ＣＤ−ＲＯＭに記録されている情報も、著作権的な観点から、記録情報の不当な複製を防止することも重要となってきている。
【０００５】
このような記録媒体の不正利用の防止に関しては、種々の提案例がある。例えば、特開平５−２５７８１６号公報や特開平６−２９５５２１号公報によれば、記録媒体に記録されている情報（プログラム、データ等）への不正なアクセスを防止したり、不正コピーを防止するために、使用許諾キー（固有番号キー）を用いたり、暗号化させる対応策がある。
【０００６】
また、例えば、特開平１１−１３４６５０号公報や特開平１１−１３４７１９号公報や特開平１１−１３４８１３号公報等に示されるように、記録媒体の記録方式及び記録・再生装置に対して対策を講ずるようにしたものもある。
【０００７】
【発明が解決しようとする課題】
ところが、ＰＣ等のオペレーティングシステム搭載のデータ処理装置においては事実上、記録媒体は装置されている（マウントされている）場合が多い。「装置される」とは、媒体の所定位置に所定の情報（例えば、通常のファイルシステムとして定義されているルートディレクトリアクセス情報）が存在していることにより、ドライブ装置を介して記録媒体に記録されている情報を再生又は記録できる状態を意味する。つまり、記録媒体を読み書きするためのドライブ装置に対する制御を実施することにより、記録媒体に記録されている情報にアクセスすることが可能となり、前者の対応策はあまり有効でない。また、暗号化されている情報についてはその暗号化アルゴリズムの解析等により、本来保護しようとしている情報の不正利用が可能となってしまう。
【０００８】
一方、後者の対応策による場合、既に普及している記録・再生装置では対応できないため、対策を実現するための時間が必要となり、かつ、その対策のために新たな記録・再生装置を導入しなければならない。
【０００９】
そこで、本発明は、ＰＣのような一般的な記録媒体利用環境で特定利用者のみが記録情報を利用できるようにすることを基本として、当該媒体に記録されている情報を特定利用者中で予め利用者毎に開示レベルが設定された利用者のみにその開示レベルに応じた適切な情報のみを利用させることができる記録媒体及びそのアクセス制御方法を提供することを目的とする。即ち、各媒体に開示レベル情報を持たせることで、機密保護と著作権保護とを容易に実現することを目的とする。
【００１０】
【課題を解決するための手段】
請求項１に記載の発明の記録媒体は、ルートディレクトリにアクセスするための情報であるルートディレクトリアクセス情報を基にアクセスされ、前記ルートディレクトリのみを示す第１の種類のルートディレクトリ情報と、ディレクトリ構造により当該記録媒体に記録された記録情報に対して、ディレクトリ単位でそれぞれ異なるアクセス可能な前記記録情報が設定されている複数の第２の種類のルートディレクトリ情報とが記録された記録領域を有し、前記第２の種類のルートディレクトリ情報は、前記ディレクトリ単位でアクセス許可された前記記録情報の範囲を示す情報である開示レベルに応じてアクセスされることを特徴とする。
【００１１】
従って、媒体自身が、媒体自身に記録されている情報に対して、ディレクトリ単位でそれぞれ異なるアクセス可能な情報が設定されている複数のルートディレクトリ情報を有することにより、その使い分けによって媒体自身に記録されている情報を、特定利用者中で予め利用者毎にレベルが設定された利用者のみにそのレベルに応じてアクセス制御させることが可能となる。
【００１５】
請求項２に記載の発明は、請求項１に記載の記録媒体において、前記ルートディレクトリ情報として複数のルートディレクトリ情報を有する媒体であることを識別させるための記録媒体識別情報を有する。
【００１６】
従って、記録情報にアクセスするためのルートディレクトリ情報が１つのみの一般的な記録媒体との識別が容易となり、複数のルートディレクトリ情報を利用したアクセス制御が容易となる。
【００１７】
請求項３に記載の発明は、請求項２に記載の記録媒体において、前記記録媒体識別情報としてルートディレクトリ情報数を有する。
【００１８】
従って、請求項２に記載の発明を実現する上で、記録媒体識別情報としてルートディレクトリ情報数を有するので、ルートディレクトリ情報数を容易に判断でき、アクセス制御の容易化及び高速化を図ることができる。
【００２３】
請求項４に記載の発明は、請求項１ないし３の何れか一項に記載の記録媒体において、前記ルートディレクトリ情報をアクセスするための配置情報として、複数のルートディレクトリ配置情報を有する。
【００２４】
従って、記録情報にアクセスするためにその開示レベルに応じて用意された複数のルートディレクトリ情報へのアクセス及びその制御が容易となる。
【００２５】
請求項５に記載の発明は、請求項４に記載の記録媒体において、前記ルートディレクトリ配置情報の数が、前記ルートディレクトリ情報の数と同数である。
【００２６】
従って、ルートディレクトリ配置情報数がルートディレクトリ情報数と同数であるので、対応関係が採り易く、ルートディレクトリ情報へのアクセスの容易化及び高速化を図れる。
【００２９】
請求項６に記載の発明は、請求項１ないし５の何れか一項に記載の記録媒体に記録された記録情報へのアクセスを制御するアクセス制御方法であって、前記記録媒体に対するアクセス動作時に、利用者がディレクトリ単位でアクセス許可された前記記録情報の範囲を示す情報である開示レベルを含む認証情報を基に正当な利用者であるか否かを判断するステップと、前記認証情報により正当な利用者であるか否かを判断するステップによって正当な利用者であると判断された場合に、前記開示レベルを基に、前記複数のルートディレクトリ配置情報から対応するルートディレクトリ配置情報を特定するステップと、前記特定するステップによって特定された前記ルートディレクトリ配置情報を基にアクセスされる前記第２の種類のルートディレクトリ情報に設定されたアクセス可能な前記記録情報にアクセスするステップと、前記認証情報を基に正当な利用者であるか否かを判断するステップによって、正当な利用者ではないと判断された場合に、前記第１の種類のルートディレクトリ情報を基に前記ルートディレクトリをアクセスするステップと、を有する。
【００３０】
従って、ＰＣのような一般的な記録媒体利用環境下で不特定利用者による当該記録媒体の記録情報へのアクセスを防止し得る上に、正当な特定利用者の場合にはルートディレクトリ配置情報及び入力された開示レベルを利用することで当該媒体に記録されている情報を特定利用者中の適切な利用者のみにその開示レベルに応じた適切な情報のみを利用させることができる。よって、機密保護と著作権保護とを容易に実現できるアクセス制御方法を提供できる。
【００３１】
【発明の実施の形態】
本発明の一実施の形態を図面に基づいて説明する。図１に本実施の形態が適用される光ディスク装置の概略構成例を示す。この光ディスク装置は、概略的には、記録媒体である光ディスク１をマウントするためのドライブ装置２と、このドライブ装置２との間で情報等の授受、その他の処理を行う情報処理装置３とにより構成されている。
【００３２】
光ディスク１としては、再生専用のＣＤ−ＲＯＭ、追記型のＣＤ−Ｒ、書換え型のＣＤ−ＲＷの何れであってもよい。これに対応して、ドライブ装置２としても、再生専用のＣＤ−ＲＯＭドライブ、書込み機能を備えたＣＤ−Ｒ／ＲＷドライブの何れであってもよい。また、ドライブ装置２と情報処理装置３とが一体の構成であってもよい。
【００３３】
ドライブ装置２は、光ディスク１の記録情報を光学的に読込むための光ピックアップ等による読込み手段４と、情報処理装置３と接続するための接続手段５とを有する。なお、書込み機能を備えたＣＤ−Ｒ／ＲＷドライブの場合であれば、情報処理装置３側からの書込み指示に従い光ディスク１に対して書込みを行うための光ピックアップ等による書き込み手段６を有する。
【００３４】
情報処理装置３は、接続手段５を介してドライブ装置２側と接続するための接続手段７と、光ディスク１から読込まれた各種記録情報を利用するために電気的処理を施す再生手段８と、再生手段８により再生された情報を利用者に出力するための出力手段９と、利用者が認証等の情報を入力するための入力手段１０と、入力手段１０を介して入力される認証情報が予め登録されている認証情報との比較により正しいか否かを解析する認証解析手段１１とを有する。ここに、本実施の形態にあっては、再生手段８と認証解析手段１１との動作を制御することにより、マウントされた光ディスク１に対するアクセスを制御するための記録媒体利用ソフトウェア１２が組み込まれている。
【００３５】
つづいて、光ディスク１の構造について図２及び図３を参照して説明する。図２に従来一般の光ディスク１oldの構造例を示す。この光ディスク１oldにあっては、ファイルシステムとして定義されているルートディレクトリにアクセスするための情報であるルートディレクトリアクセス情報ａと、このルートディレクトリアクセス情報ａにより記録領域が指示されるルートディレクトリ情報ｂとの領域を有する。ルートディレクトリアクセス情報ａは、ＩＳＯ９６６０ファイルシステムではＰＶＤ（Primary Volume Descriptor）、ＵＤＦ（Universal Disc Format）ファイルシステムではＦＳＤ（File Set Descriptor）に記録されている。そして、光ディスク１oldに記録されているディレクトリやファイルへのアクセスは、図２中に矢印で示すように、ルートディレクトリアクセス情報ａが指示する記録領域に記録されるルートディレクトリ情報ｂに従い行われる。
【００３６】
一方、図３に本実施の形態による光ディスク１newの構造例を示す。この光ディスク１newにあっては、ルートディレクトリアクセス情報ａを通常通り有するとともに、Ｎ個のルートディレクトリ情報ｃ１，…，ｃｎ，…ｃＮを有するルートディレクトリ情報群ｃを有し、さらに、記録媒体識別情報ｄとＮ個のルートディレクトリ配置情報ｅ１，…，ｅｎ，…ｅＮを有するルートディレクトリ配置情報群ｅとを有する。
【００３７】
記録媒体識別情報ｄは、光ディスク１が通常に記録された光ディスク１oldか本実施の形態による特徴的な光ディスク１newかを判断するための情報である。本実施の形態では、ルートディレクトリ情報数Ｎも記録媒体識別情報ｄ中に記録されている。本実施の形態では、ルートディレクトリ情報数＝ルートディレクトリ配置情報数＝Ｎ＝開示レベルとして設定されている。
【００３８】
ルートディレクトリアクセス情報ａは、ルートディレクトリしか存在しないことを示すルートディレクトリ情報が記録されている。本実施の形態では、ルートディレクトリ情報ｃ１が相当する。
【００３９】
ルートディレクトリ配置情報群ｅの各ルートディレクトリ配置情報は、図３中に矢印で示すように開示レベルに応じてルートディレクトリ情報群ｃ中の対応するルートディレクトリ情報にアクセスするための情報が設定されている。本実施の形態では、開示レベル１であれば、開示レベル１に相当するルートディレクトリ配置情報ｅ１からルートディレクトリ情報ｃ１をアクセスし、記録されている情報をアクセスする。もっとも、本実施の形態では、ルートディレクトリ情報ｃ１はルートディレクトリしか存在しないことを示す情報が記録されているため、記録情報へのアクセスはできない。開示レベルｎであれば、開示レベルｎに相当するルートディレクトリ配置情報ｅｎからルートディレクトリ情報ｃｎをアクセスし、記録されている情報をアクセスすることが可能となる。
【００４０】
図４に本実施の形態の光ディスク１newによる場合の記録情報（ディレクトリ構造）の例を示す。ルートディレクトリの下に、ディレクトリとしてディレクトリＤ１及びＤ２、ファイルとしてファイルＦＲ−１及びＦＲ−２が記録されている。また、ディレクトリＤ２にはサブディレクトリとしてディレクトリＳＤ２、ファイルＦＤ２−１及びＦＤ２−２が記録されている。サブディレクトリＳＤ２の下にはファイルＦＳＤ２−１が記録されている。ルートディレクトリアクセス情報ａが指示するルートディレクトリ情報ｃ１の内容は、ルートディレクトリだけのディレクトリ構造が記録される。一方、開示レベルＮが全記録情報の利用を開示することを意味するレベルとすれば、この開示レベルＮで索引されるルートディレクトリ配置情報ｅＮにルートディレクトリ情報ｃＮの配置情報を記録し、ルートディレクトリ情報Ｎに記録情報全てのディレクトリ構造を記録すればよい。このように開示レベルｎで索引される（開示レベルｎに相当する）ルートディレクトリ配置情報ｅｎに開示レベルｎで開示する任意のディレクトリ構造を記録したルートディレクトリ情報ｎを記録すればよい。
【００４１】
図４に例示する本実施の形態において、開示レベルｎの利用者には、記録情報のうち、ファイルＦＳＤ２−１だけを開示する場合には、開示レベルｎで索引されるルートディレクトリ配置情報ｅｎに、ルートディレクトリ情報としてファイルＦＳＤ２−１だけを含むディレクトリ構造を記録したルートディレクトリ情報ｃｎを記録すればよい。これにより、正当な開示レベルｎの利用者のアクセスに対して、開示レベルｎで索引されるルートディレクトリ配置情報ｎに記録されているルートディレクトリ情報ｃｎがアクセスされることで、開示レベルｎの利用者にはファイルＦＳＤ２−１がアクセス可能となり、他のファイルへのアクセスは禁止される。
【００４２】
このような構成において、情報処理装置３に導入された記録媒体利用ソフトウェア１２により実行される本実施の形態のアクセス制御方法について図５に示すフローチャートを参照して説明する。
【００４３】
まず、光ディスク１がドライブ装置２に挿入されると、ドライブ装置２から接続手段５，７を介して情報処理装置３にその旨が通知され、記録媒体利用ソフトウェア１２が起動する。そして、挿入された光ディスク１が記録媒体識別情報ｄを有するか否かをチェックする（ステップＳ１）。記録媒体識別情報ｄを有しない場合には（Ｓ１のＮ）、通常一般の光ディスク１oldであると判断し、そのルートディレクトリアクセス情報ａが指示するルートディレクトリ情報ｂをアクセスし、通常通りに記録情報のアクセスを行う（Ｓ７）。
【００４４】
一方、記録媒体識別情報ｄを有する場合には（Ｓ１のＹ）、本実施の形態による特徴的な光ディスク１newであると判断し、利用者に対して正当な利用者であるか否かの判断を行うために、パスワード等の認証情報の入力を要求する（Ｓ２）。この際、開示レベルｎも入力させる。この要求に従い、入力手段１０を通じて認証情報が入力されると（Ｓ３のＹ）、認証解析手段１１が機能し、入力された認証情報を認証と開示レベルとに解析分離し、認証と開示レベルｎとを取得する（Ｓ４）。即ち、認証と開示レベルとを加味して認証情報とすればよい。そして、予め登録されている認証情報との対比により認証が正しいか、即ち、当該利用者が正当な特定利用者であるか否かを判断する（Ｓ５）。正当な利用者である（認証が正しい）と判断された場合には（Ｓ５のＹ）、さらに、開示レベルｎの範囲が適切であるか否かを判断する（Ｓ６）。この結果、適切な開示レベルｎであれば（Ｓ６のＹ）、その開示レベルｎでルートディレクトリ配置情報ｎを索引し、そのルートディレクトリ配置情報ｎからルートディレクトリ情報ｎをアクセスすることで（Ｓ８）、当該利用者に開示レベルｎの記録情報へのアクセスが許容される。
【００４５】
一方、正当な利用者である（認証が正しい）と判断されなかった場合（Ｓ５のＮ）や、開示レベルｎの範囲が適切でないと判断された場合（Ｓ６のＮ）には、ルートディレクトリアクセス情報ａに記録されているルートディレクトリ情報ｃ１をアクセスする（Ｓ９）。この場合、ルートディレクトリ情報ｃ１はルートディレクトリしか有しないため、恰もルートディレクトリしか存在しないようなルートディレクトリへのアクセスとなり、結果として、ルートディレクトリより下にある全てのディレクトリ及びファイルへのアクセスは禁止される。例えば、ＯＳとしてマイクロソフト社のＷindowsが搭載されている環境において、そのＥxplorerからはルートディレクトリの他は何も見えない状態を作り出すことが可能となる。これにより、不正な利用者や不適な開示レベルによる不当な記録情報へのアクセスを防止できる。
【００４６】
なお、本実施の形態では、認証と開示レベルとを合わせて認証情報として扱うようにしたが、これらは別個に入力させ、各々別個に解析させるようにしても構わない。また、本実施の形態の場合、認証解析手段１１で取得した認証が不正な場合、或いは、開示レベルｎの範囲が不適な場合、利用者に対して認証情報や開示レベルの再入力を行わせるようにはしていないが、適当回数或いは永久に再入力を要求するようにしてもよい。
【００４７】
このように本実施の形態によれば、ＰＣに代表される一般的な光ディスク利用環境において、光ディスク１newは所定の位置のルートディレクトリアクセス情報ａに従い、ドライブ装置２にマウントされるが、情報処理装置３に記録媒体利用ソフトウェア１２が導入されてない場合や、利用者の入力した認証情報や開示レベルが不適切な場合は、予めルートディレクトリアクセス情報ａに記録されているルートディレクトリしか存在しないルートディレクトリ情報ｃ１を有効とすることで、光ディスク１newに記録されている情報を隠蔽し、不正な利用者や不適な開示レベルに対する機密、著作権等の保護を図ることができる。一方、利用者から正しく認証情報及び開示レベルｎが入力された場合は、記録媒体利用ソフトウェア１２はルートディレクトリ配置情報群ｅ中の対応する開示レベルｎのルートディレクトリ配置情報ｅｎに記録されているルートディレクトリ情報ｃｎを有効とすることで光ディスク１newに記録されている情報を正常にアクセスし、その記録情報を提供することができる。
【００４８】
一方、本実施の形態による特徴的な光ディスク１newを記録媒体利用ソフトウェア１２を有しない従来一般の光ディスク装置に挿入した場合のアクセス制御例を図６に示すフローチャートを参照して説明する。このような光ディスク１newが挿入された場合、一意的な通常のアクセス手順に従い、ルートディレクトリアクセス情報ａに記録されているルートディレクトリ情報ｃ１をアクセスする（Ｓ１１）。この場合、ルートディレクトリ情報ｃ１はルートディレクトリしか有しないため、恰もルートディレクトリしか存在しないようなルートディレクトリへのアクセスとなり、結果として、ルートディレクトリより下にある全てのディレクトリ及びファイルへのアクセスは禁止される。これにより、従来一般の光ディスク装置においても不特定利用者による不当な記録情報へのアクセスを防止できる。
【００４９】
【発明の効果】
請求項１に記載の発明の記録媒体によれば、媒体自身が、媒体自身に記録されている情報に対して、ディレクトリ単位でそれぞれ異なるアクセス可能な情報が設定されている複数のルートディレクトリ情報を有するので、その使い分けにより媒体自身に記録されている情報を、特定利用者中で予め利用者毎にレベルが設定された利用者のみにそのレベルに応じてアクセス制御させることが可能となる。その使い分けにより媒体自身に記録されている情報を、特定利用者のレベルに応じてアクセス制御させることが可能となる。
【００５１】
請求項２に記載の発明によれば、請求項１に記載の記録媒体において、ルートディレクトリ情報として複数のルートディレクトリ情報を有する媒体であることを識別させるための記録媒体識別情報を有するので、記録情報にアクセスするためのルートディレクトリ情報が１つのみの一般的な記録媒体との識別が容易となり、複数のルートディレクトリ情報を利用したアクセス制御が容易となる。
【００５２】
請求項３に記載の発明によれば、請求項２に記載の発明を実現する上で、記録媒体識別情報としてルートディレクトリ情報数を有するので、ルートディレクトリ情報数を容易に判断でき、アクセス制御の容易化及び高速化を図ることができる。
【００５５】
請求項４に記載の発明によれば、請求項１ないし３の何れか一項に記載の記録媒体において、記録情報にアクセスするためにその開示レベルに応じて用意された複数のルートディレクトリ情報へのアクセス及びその制御が容易となる。
【００５６】
請求項５に記載の発明によれば、請求項４に記載の記録媒体において、ルートディレクトリ配置情報数がルートディレクトリ情報数と同数であるので、対応関係が採り易く、ルートディレクトリ情報へのアクセスの容易化及び高速化を図ることができる。
【００５８】
請求項６に記載の発明のアクセス制御方法によれば、ＰＣのような一般的な記録媒体利用環境下で不特定利用者による当該記録媒体の記録情報へのアクセスを防止し得る上に、正当な特定利用者の場合にはルートディレクトリ配置情報及び入力された開示レベルを利用することで当該媒体に記録されている情報を特定利用者中の適切な利用者のみにその開示レベルに応じた適切な情報のみを利用させることができ、よって、機密保護と著作権保護とを容易に実現できるアクセス制御方法を提供できる。
【図面の簡単な説明】
【図１】本発明の一実施の形態を示す光ディスク装置の概略構成図である。
【図２】従来一般例による場合の光ディスク構造を示す模式図である。
【図３】本実施の形態による場合の光ディスク構造を示す模式図である。
【図４】光ディスクの記録情報（ディレクトリ構造）を示す模式図である。
【図５】アクセス制御方法を説明するためのフローチャートである。
【図６】従来の光ディスク装置による場合のアクセス制御方法を説明するためのフローチャートである。
【符号の説明】
１      記録媒体
ａ      ルートディレクトリアクセス情報
ｃ１〜ｃＮ      ルートディレクトリ情報
ｄ      記録媒体識別情報
ｅ１〜ｅＮ      ルートディレクトリ配置情報
【図１】
0004012664.tif 000002
【図２】
0004012664.tif 000003
【図３】
0004012664.tif 000004
【図４】
0004012664.tif 000005
【図５】
0004012664.tif 000006
【図６】
0004012664.tif 000007